(57)【要約】【課題】電源工事やサービスメンテ時の作業性にすぐれ、しかも送風機の吸込みスペースが大きく、性能に優れた空気調和機の室内機を提供する。【解決手段】天板２と底板３と後板４で構成された箱体１ａを備え、箱体１ａ内に、送風機５を内蔵したファンケーシング６が配設された送風室７と、送風室７と仕切板１０で区画され熱交換器８を配設した熱交換室９と、底板３の下面に基板等の電装部品（図示せず）を内蔵した電源板１２を配設したもので、送風室７内に内蔵されたファンケーシングなどで妨害されることもなく配線などの設置工事性が向上し、さらに電源板１２が送風室７に配置されていないので送風機５の吸込みスペースが大きくなり吸込み抵抗の減少が図れ、空気調和機の性能向上を図ることができ、また、送風機を駆動するモータ（図示せず）への配線も短くなり、配線の整理が容易になる。【選択図】図１
2009097741.tif 000002
【特許請求の範囲】
【請求項１】
天板と底板と後板で構成された箱体を備え、前記箱体内に、送風機を内蔵したファンケーシングが配設された送風室と、前記送風室と仕切板で区画され熱交換器を配設した熱交換室と、前記熱交換器からのドレン水を一旦貯蔵するためのドレンパンを配し、前記底板の下面に基板等の電装部品を内蔵した電源板を配設したことを特徴とする空気調和機の室内機。
【請求項２】
ドレンパンの下面に凹溝を設け、電源板を前記凹溝に嵌め込むと共に底板にて保護することを特徴とする請求項１に記載の空気調和機の室内機。
【請求項３】
底板を、底板Ａと、底板Ｂに２分割し、電源板を前記底板Ａで保護することを特徴とする請求項２に記載の空気調和機の室内機。
【請求項４】
ドレンパンの下面に凹溝を設け、底板の一部を、電源板の寸法に合わせかつ前記電源板を避けるように断面略コの字状に加工し、前記凹溝に嵌め込んだ電源板を前記底板の一部で保護することを特徴とする請求項１に記載の空気調和機の室内機。
【発明の詳細な説明】
【技術分野】
【０００１】
本発明は、空気調和機の室内機に関するものである。
【背景技術】
【０００２】
従来、一般的に天井に吊下げ設置される空気調和機の室内機内の電源板の取付けは、天板と後板のコーナ部吸込みスペースに配設される構成が一般的である（例えば、特許文献１参照）。
【０００３】
図７は、上記特許文献１に記載された従来の空気調和機の室内機の断面図、図８は、同空気調和機の室内機の底面から吸込みグリルを外した状態の平面断面図である。
【０００４】
図７、図８に示すように、従来の天井に吊下げ設置される空気調和機の室内機本体１の箱体１ａは、天板２と底板３と後板４で構成され、その箱体１ａ内に、送風機５を内蔵したファンケーシング６が配設された送風室７と、前記送風室７と仕切板１０で仕切られ、前記送風機５の吹出側に位置する熱交換器８を配設した熱交換室９と、前記熱交換器８からのドレン水を一旦貯蔵するためのドレンパン１１を備え、送風室７内の前記天板２と後板４とのコーナ部１ｂに、基板などの電装部品（図示せず）が搭載された電源板１２と、前記電源板１２を覆って保護する電源板カバー１３が配設されている。
【特許文献１】特開２０００−９３２８号公報
【発明の開示】
【発明が解決しようとする課題】
【０００５】
しかしながら、前記従来の空気調和機の室内機の構成では、電源板１２が送風室７内の狭い空間に配設されているため、送風室７内に内蔵されたファンケーシング６などで妨害され設置時の電源工事やサービスメンテ時の作業性が非常に悪く、工事不良が生じたり、電源板１２により送風機５の吸込みスペースが減少し吸込み抵抗が増加するため空気調和機の空調性能を悪化させたり、寸法の長いファンモータ用配線が必要なため、配線の整理がやり難いといった課題を有していた。
【０００６】
本発明は、前記従来の課題を解決するもので、送風室内に内蔵されたファンケーシングなどで妨害されることもなく配線などの設置工事性に優れ、送風機の吸込みスペースが大きく吸込み抵抗の減少が図れ、空気調和機の性能向上を図ることができ、またファンモータ用配線の整理も容易な空気調和機の室内機を提供することを目的とする。
【課題を解決するための手段】
【０００７】
前記従来の課題を解決するために、本発明の空気調和機の室内機は、天板と底板と後板で構成された箱体を備え、前記箱体内に、送風機を内蔵したファンケーシングが配設された送風室と、前記送風室と仕切板で区画され熱交換器を配設した熱交換室と、前記熱交換器からのドレン水を一旦貯蔵するためのドレンパンを配し、前記底板の下面に基板等の電装部品を内蔵した電源板を配設したもので、送風室内に内蔵されたファンケーシングなどで妨害されることもなく配線などの設置工事性が向上し、さらに電源板が送風室に配置されていないので送風機の吸込みスペースが大きくなり吸込み抵抗の減少が図れ、空気調和機の性能向上を図ることができ、また、送風機を駆動するモータへの配線も短くすることができるので、配線の整理が容易になる。
【発明の効果】
【０００８】
本発明の空気調和機の室内機は、送風室内に内蔵されたファンケーシングなどで妨害さ
れることもなく配線などの設置工事性が向上し、さらに電源板が送風室に配置されていないので、吸込み部の吸込みスペースが大きくなって、吸込み抵抗の減少が図れ、空気調和機の性能向上を図ることができ、また、送風機を駆動するモータへの配線も短くすることができるので配線の整理が容易である。
【発明を実施するための最良の形態】
【０００９】
第１の発明は、天板と底板と後板で構成された箱体を備え、前記箱体内に、送風機を内蔵したファンケーシングが配設された送風室と、前記送風室と仕切板で区画され熱交換器を配設した熱交換室と、前記熱交換器からのドレン水を一旦貯蔵するためのドレンパンを配し、前記底板の下面に基板等の電装部品を内蔵した電源板を配設したもので、送風室内に内蔵されたファンケーシングなどで妨害されることもなく配線などの設置工事性が向上し、さらに電源板が送風室に配置されていないので送風機の吸込みスペースが大きくなり吸込み抵抗の減少が図れ、空気調和機の性能向上を図ることができ、また、送風機を駆動するモータへの配線も短くすることができるので、配線の整理が容易になる。
【００１０】
第２の発明は、特に、第１の発明のドレンパンの下面に凹溝を設け、電源板を前記凹溝に嵌め込むと共に底板にて保護するもので、ドレンパンの材料費の削減を図り、しかも従来の電源板カバーが不要になるので、安価に構成することができる。
【００１１】
第３の発明は、特に、第２の発明の底板を、底板Ａと、底板Ｂに２分割し、電源板を前記底板Ａで保護するもので、電源板のメンテナンスや交換時に、底板全体を取り外す必要がなく、底板Ａを外すだけで、配線などの作業が可能となり、工事性が向上でき、電源板のカバーも廃止できる。
【００１２】
第４の発明は、特に、第１の発明のドレンパンの下面に凹溝を設け、底板の一部を、電源板の寸法に合わせかつ前記電源板を避けるように断面略コの字状に加工し、前記凹溝に嵌め込んだ電源板を前記底板の一部で保護するもので、底板の強度が低減することもなく、さらに、小型化された底板の一部を外すだけで配線などの作業が可能となり、工事性が向上でき、電源板のカバーも廃止できる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の室内機の断面図、図２は、同室内機の底面から吸込みグリルを外した状態の平面断面図である。
【００１５】
図１、図２において、本実施の形態における空気調和機の室内機の室内機本体１の箱体１ａを、天板２と底板３と後板４で構成し、その箱体１ａ内部に、モータ（図示せず）で駆動される送風機５を内蔵したファンケーシング６が配設された送風室７と、送風室７と仕切板１０で仕切られ前記送風機５の吹出側に位置する熱交換器８を配設した熱交換室９と、前記熱交換器８からのドレン水を一旦貯蔵するためのドレンパン１１を配し、箱体１ａの底板３の下面に基板等の電装部品（図示せず）を内蔵した電源板１２を配設している。
【００１６】
なお、本実施の形態では、図１、図２に示すように、ドレンパン１１の下面に、凹溝１５を設け、前記凹溝１５に、電源板１２を嵌めこみ、前記底板３にて保護するようにしている。
【００１７】
以上のように構成された空気調和機の室内機について、以下その動作、作用を説明する
。
【００１８】
室内機本体１の底板３の下面に基板等の電装部品を内蔵した電源板１２を配設することにより、送風室７内に内蔵されたファンケーシング６などで妨害されることがないので、配線などの設置工事性が向上し、さらに電源板１２が送風室７内に無いので、吸込み部１４の吸込みスペースが大きくなり吸込み抵抗の減少、空気調和機の空調性能の向上を図ることができ、またモータ用の配線も短くすることができるので配線の整理を容易にすることができる。
【００１９】
また、凹溝１５に嵌め込んだ電源板１２を底板３にて保護することにより、ドレンパン１１の材料費の削減と、電源板１２を保護する電源板カバーを廃止することができる。
【００２０】
（実施の形態２）
図３は、本発明の第２の実施の形態における空気調和機の室内機の底面から吸込みグリルを外した状態の平面断面図、図４は、同空気調和機の室内機の斜視図である。尚、上記第１の実施の形態における空気調和機の室内機と同一部分については、同一符号を付してその説明を省略する。
【００２１】
本実施の形態は、図３、図４に示すように、底板３を、電源板１２の部分を覆おう底板Ａ３ａと、それ以外の部分を覆う底板Ｂ３ｂに２分割し、ドレンパン１１の下面に設けた凹溝１５に電源板１２を嵌めこみ、その電源板１２を覆うように底板Ａ３ａを取り付けるもので、これにより電源板１２のメンテナンスや交換時に、底板３全体を取り外す必要がなくなり工事性が向上でき、電源板カバーも廃止できる。
【００２２】
（実施の形態３）
図５は、本発明の第３の実施の形態における空気調和機の室内機の底面から吸込みグリルを外した状態の平面断面図、図６は、同空気調和機の室内機の斜視図である。尚、上記実施の形態における空気調和機の室内機と同一部分については、同一符号を付してその説明を省略する。
【００２３】
本実施の形態は、図４、図５に示すように、底板３の一部の底板Ｃ３ｃを、取り外し可能にすると共に電源板１２を避けるように断面略コの字状に加工し、ドレンパン１１の下面に設けた凹溝１５に電源板１２を嵌めこみ、その電源板１２を覆うように前記底板Ｃ３ｃを取り付けるもので、底板３の強度が低減することもなく、さらに小型化された底板Ｃ３ｃを外すだけで、配線などの作業が可能となり、さらに工事性が向上できる。
【産業上の利用可能性】
【００２４】
以上のように、本発明にかかる空気調和機の室内機は、送風室内に内蔵されたファンケーシングなどで妨害されることもなく配線などの設置工事性が向上し、さらに電源板が送風室に配されていないので、送風機の吸込みスペースが大きくなり吸込み抵抗の減少が図れ、空気調和機の性能向上を図ることができ、また送風機駆動用のモータ用の配線も短くすることで配線の整理が容易になるもので、天井埋め込み型空気調和機等にも適用できる。
【図面の簡単な説明】
【００２５】
【図１】本発明の第１の実施の形態における空気調和機の室内機の断面図
【図２】同室内機の底面から吸込みグリルを外した状態の平面断面図
【図３】本発明の第２の実施の形態における空気調和機の室内機の底面から吸込みグリルを外した状態の平面断面図
【図４】同空気調和機の室内機の斜視図
【図５】本発明の第３の実施の形態における空気調和機の室内機の底面から吸込みグリルを外した状態の平面断面図
【図６】同空気調和機の室内機の斜視図
【図７】従来の空気調和機の室内機の断面図
【図８】同室内機の底面から吸込みグリルを外した状態の平面断面図
【符号の説明】
【００２６】
１  空気調和機本体
１ａ  箱体
２  天板
３  底板
３ａ  底板Ａ
３ｂ  底板Ｂ
３ｃ  底板Ｃ
４  後板
５  送風機
６  ファンケーシング
７  送風室
８  熱交換器
９  熱交換室
１０  仕切板
１１  ドレンパン
１２  電源板
１３  電源板カバー
１４  吸込み部
１５  凹溝
【図１】
2009097741.tif 000003
【図２】
2009097741.tif 000004
【図３】
2009097741.tif 000005
【図４】
2009097741.tif 000006
【図５】
2009097741.tif 000007
【図６】
2009097741.tif 000008
【図７】
2009097741.tif 000009
【図８】
2009097741.tif 000010